(57)【要約】広帯域無線アクセスシステムにおいてプロトコルスタック層での動作を明確にするために、移動局及び基地局内の上位管理層と媒体アクセス制御（Ｍｅｄｉａ  Ａｃｃｅｓｓ  Ｃｏｎｔｒｏｌ；ＭＡＣ）層間のプリミティブを定義することにより、移動局の管理を可能にする。このようなプリミティブを利用することにより、ネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）とメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
2008536375.tif 000002
【特許請求の範囲】
【請求項１】
管理要求を示す第１プリミティブを移動局のネットワーク制御管理システム（ＮＣＭＳ）又は上位エンティティから受信する段階と、
管理確認を示す第２プリミティブを前記移動局のＮＣＭＳ又は上位エンティティに送信する段階と
を含むことを特徴とする広帯域無線アクセスシステムにおける移動局管理方法。
【請求項２】
前記移動局のＮＣＭＳが、管理エンティティの独立エンティティ内の階層であり、移動局の管理機能をサポートすることを特徴とする請求項１に記載の広帯域無線アクセスシステムにおける移動局管理方法。
【請求項３】
前記上位エンティティが、少なくともＭＩＨ又は少なくとも１つの他の管理エンティティを含むことを特徴とする請求項１に記載の広帯域無線アクセスシステムにおける移動局管理方法。
【請求項４】
同種ネットワーク及び異種ネットワークの少なくとも一方とやり取りするメッセージを管理するための移動局の上位層に統一されたインタフェースを設定する段階をさらに含むことを特徴とする請求項１に記載の広帯域無線アクセスシステムにおける移動局管理方法。
【請求項５】
前記第１プリミティブがアクションコードを含むことを特徴とする請求項１に記載の広帯域無線アクセスシステムにおける移動局管理方法。
【請求項６】
前記アクションコードが、パワーオン／オフ、ＭＡＣリセット、登録解除、保留、正常、リンク切断、リンクスリープ、又はリンクパワーダウンの少なくとも１つを示すことを特徴とする請求項５に記載の広帯域無線アクセスシステムにおける移動局管理方法。
【請求項７】
前記第２プリミティブが、状態変更の成功、失敗、又は拒否の結果を示すことを特徴とする請求項１に記載の広帯域無線アクセスシステムにおける移動局管理方法。
【請求項８】
前記受信する段階と前記送信する段階との間に、
第１管理メッセージをネットワークに送信する段階と、
第２管理メッセージを前記ネットワークから受信する段階と
をさらに含むことを特徴とする請求項１に記載の広帯域無線アクセスシステムにおける移動局管理方法。
【請求項９】
前記第１管理メッセージが登録解除要求を示すことを特徴とする請求項８に記載の広帯域無線アクセスシステムにおける移動局管理方法。
【請求項１０】
前記第２管理メッセージが登録解除命令を示すことを特徴とする請求項８に記載の広帯域無線アクセスシステムにおける移動局管理方法。
【請求項１１】
移動局のＭＡＣの状態変更を示すメッセージをネットワークから受信する段階と、
前記移動局のネットワーク制御管理システム（ＮＣＭＳ）又は上位エンティティに前記移動局のＭＡＣの状態変更が通知されるようにするプリミティブを、前記移動局のＮＣＭＳ又は上位エンティティに送信する段階と
を含むことを特徴とする広帯域無線アクセスシステムにおける移動局管理方法。
【請求項１２】
前記メッセージが、リセット命令及び登録解除命令の少なくとも一方を含むことを特徴とする請求項１１に記載の広帯域無線アクセスシステムにおける移動局管理方法。
【請求項１３】
前記登録解除命令が、正常状態の保留又は正常状態への遷移を示すことを特徴とする請求項１２に記載の広帯域無線アクセスシステムにおける移動局管理方法。
【請求項１４】
前記状態変更が、リセット、正常、及び保留の少なくとも１つを含むことを特徴とする請求項１１に記載の広帯域無線アクセスシステムにおける移動局管理方法。
【請求項１５】
同種ネットワーク及び異種ネットワークの少なくとも一方とやり取りするメッセージを管理するための移動局の上位層に統一されたインタフェースを設定する段階と、
前記統一されたインタフェース（ＭＩＨ）に前記移動局のＭＡＣの状態変更が通知されるようにするプリミティブを、前記移動局のネットワーク制御管理システム（ＮＣＭＳ）から受信する段階と
を含むことを特徴とする広帯域無線アクセスシステムにおける移動局管理方法。
【請求項１６】
前記プリミティブが、リセット、正常、及び保留の少なくとも１つを示すことを特徴とする請求項１５に記載の広帯域無線アクセスシステムにおける移動局管理方法。
【請求項１７】
前記プリミティブが、状態変更要求の成功、失敗、又は拒否の結果を示すことを特徴とする請求項１５に記載の広帯域無線アクセスシステムにおける移動局管理方法。
【請求項１８】
前記移動局のＭＡＣの状態変更要求を示すプリミティブを前記移動局のＭＡＣに送信する段階をさらに含むことを特徴とする請求項１５に記載の広帯域無線アクセスシステムにおける移動局管理方法。
【請求項１９】
前記プリミティブがアクションコードを含むことを特徴とする請求項１８に記載の広帯域無線アクセスシステムにおける移動局管理方法。
【請求項２０】
前記アクションコードが、パワーオン（アップ）／オフ（ダウン）、（ＭＡＣ）リセット、登録解除、保留、正常、リンク切断、リンクスリープ、又はリンクパワーダウンの少なくとも１つを示すことを特徴とする請求項１９に記載の広帯域無線アクセスシステムにおける移動局管理方法。
【請求項２１】
ネットワークのネットワーク制御管理システム（ＮＣＭＳ）又は上位エンティティが移動局のＭＡＣの状態変更を命令できるようにするプリミティブを、前記ネットワークのＮＣＭＳ又は上位エンティティから受信する段階と、
前記移動局のＭＡＣの状態変更を示すメッセージを前記移動局のＭＡＣに送信する段階と
を含むことを特徴とする広帯域無線アクセスシステムにおける移動局管理方法。
【請求項２２】
前記プリミティブが、リセット、正常、保留、及び登録解除の少なくとも１つを示すことを特徴とする請求項２１に記載の広帯域無線アクセスシステムにおける移動局管理方法。
【請求項２３】
前記メッセージが、リセット、正常、保留、及び登録解除の少なくとも１つを命令することを特徴とする請求項２２に記載の広帯域無線アクセスシステムにおける移動局管理方法。
【請求項２４】
前記受信する段階の前に、
前記ネットワークの登録解除要求を示すメッセージを前記移動局のＭＡＣから受信する段階と、
前記移動局の登録解除を示すプリミティブを前記ネットワークのＮＣＭＳ又は上位エンティティに送信する段階と
をさらに含むことを特徴とする請求項２１に記載の広帯域無線アクセスシステムにおける移動局管理方法。
【請求項２５】
同種ネットワーク及び異種ネットワークの少なくとも一方とやり取りするメッセージを管理するためのネットワークの上位層に統一されたインタフェースを設定する段階と、
前記統一されたインタフェース（ＭＩＨ）が移動局のＭＡＣの状態変更を命令できるようにする第１プリミティブを、前記ネットワークのネットワーク制御管理システム（ＮＣＭＳ）に送信する段階と
を含むことを特徴とする広帯域無線アクセスシステムにおける移動局管理方法。
【請求項２６】
前記第１プリミティブが、リセット、正常、保留、及び登録解除の少なくとも１つを示すことを特徴とする請求項２５に記載の広帯域無線アクセスシステムにおける移動局管理方法。
【請求項２７】
移動局の登録解除を示す第２プリミティブを前記ネットワークのＮＣＭＳから受信する段階をさらに含むことを特徴とする請求項２５に記載の広帯域無線アクセスシステムにおける移動局管理方法。
【発明の詳細な説明】
【技術分野】
【０００１】
本発明は広帯域無線アクセスシステムに関し、特に、移動局のプロトコルスタック内でのプリミティブ及び基地局のプロトコルスタック内でのプリミティブを明確に定義して移動局を管理する方法に関する。
【背景技術】
【０００２】
本発明は広帯域無線アクセスネットワークにおけるプロトコルシグナリングに関し、特に、プリミティブを利用する移動局管理方法に関する。
【０００３】
図１は広帯域無線アクセスシステムにおけるプロトコルスタック構造の一例を示す図である。
【０００４】
表１はＲＥＳ−ＣＭＤメッセージの一例を示す。
【０００５】
【表１】
2008536375.tif 000003
前記ＲＥＳ−ＣＭＤメッセージは、基地局が、移動局にリセット手順を行い、移動局の媒体アクセス制御（Ｍｅｄｉａ  Ａｃｃｅｓｓ  Ｃｏｎｔｒｏｌ；ＭＡＣ）層を再初期化し、初期システムアクセス手順を繰り返すようにするために、移動局の基本接続識別子（Ｂａｓｉｃ  Ｃｏｎｎｅｃｔｉｏｎ  Ｉｄｅｎｔｉｆｉｅｒ；基本ＣＩＤ）の一部として送信されなければならない。
【０００６】
前記ＲＥＳ−ＣＭＤメッセージは、前記基地局に対する前記移動局の応答がないか、又は前記移動局からアップリンクにおける連続的な異常が検出された場合にも使用できる。前記ＲＥＳ−ＣＭＤは、ＴＬＶタプルからなり、符号化後のパラメータを含まなければならない。ＨＭＡＣタプルは前記メッセージ内の最後の属性でなければならない。
【０００７】
表２はＲＥＧ−ＲＱメッセージの一例を示す。
【０００８】
【表２】
2008536375.tif 000004
前記移動局は、ＤＲＥＧ−ＲＥＱ（Ｄｅ−ｒｅｇｉｓｔｒａｔｉｏｎ  ｒｅｑｕｅｓｔ）メッセージを前記基地局に送信することにより、該当移動局に対する正常動作サービスの登録解除を要求できる。前記登録解除要求コード（Ｄｅ−ｒｅｇｉｓｔｒａｔｉｏｎ  Ｒｅｑｕｅｓｔ  Ｃｏｄｅ）は登録解除要求タイプを通知する。例えば、０ｘ００は前記基地局からの移動局登録解除要求を示す。
【０００９】
表３はＤＲＥＧ−ＣＭＤメッセージの一例を示す。
【００１０】
【表３】
2008536375.tif 000005
前記ＤＲＥＧ−ＣＭＤメッセージは、前記移動局に移動局の接続状態を変更するように強制するために前記基地局から送信されなければならない。前記ＤＲＥＧ−ＣＭＤメッセージは前記移動局の基本ＣＩＤの一部として送信される。前記ＤＲＥＧ−ＣＭＤを受信した移動局は、アクション（動作）コードにより示される動作を行う。
【００１１】
表４はアクションコード及びこれに対応するアクションの一例を示す。
【００１２】
【表４】
2008536375.tif 000006
前記ＤＲＥＧ−ＣＭＤは、ＴＬＶタプルからなり、符号化後のパラメータを含まなければならない。前記ＨＭＡＣタプルは前記メッセージ内の最後の属性でなければならない。
【００１３】
図２はパワーダウンのための登録解除手順の信号フローの一例を示す図である。図２に示すように、前記移動局は移動局の電力を停止するために前記基地局にＤＲＥＧ−ＣＭＤを送信する（Ｓ２１）。ここで、前記基地局から前記移動局の登録解除要求を意味する０ｘ００が送信される。前記基地局はＤＲＥＧ−ＣＭＤアクションコード０ｘ０４を送信してこれを許可する（Ｓ２２）。
【００１４】
図３は移動局をリセットする手順の信号フローの一例を示す図である。図３に示すように、前記移動局の異常動作を感知した前記基地局は、前記移動局をリセットするために該移動局にＲＥＳ−ＣＭＤを送信する（Ｓ３１）。前記移動局は移動局自身をリセットして移動局のＭＡＣ層を初期化する。
【００１５】
図４は移動局の正常動作を保留（ｈｏｌｄ）する手順の信号フローの一例を示す図である。図４に示すように、前記移動局の異常動作によるものであっても、他のネットワーク状況によるものであっても、前記基地局は、ＤＲＥＧ−ＣＭＤ（０ｘ０１）を利用して前記移動局の正常動作を保留する（Ｓ４１）。これを受信した前記移動局は、ＲＥＳ−ＣＭＤ又はＤＲＥＧ−ＣＭＤ（０ｘ０３）メッセージが受信されるまで、移動局の正常動作を保留する。
【００１６】
前記基地局は、前記移動局が正常動作に戻ることができるか否かを判断し、正常動作に戻ることができる場合、前記移動局に正常動作に戻るようにＤＲＥＧ−ＣＭＤ（０ｘ０３）メッセージにより指示する（Ｓ４２）。前記メッセージを受信した移動局は正常動作を行う。
【００１７】
図５は移動局の正常動作保留後のリセット手順の信号フローの一例を示す図である。図５に示すように、前記移動局の異常動作によるものであっても、他のネットワーク状況によるものであっても、前記基地局は、ＤＲＥＧ−ＣＭＤ（０ｘ０１）を利用して前記移動局の正常動作を保留する（Ｓ５１）。これを受信した前記移動局は、ＲＥＳ−ＣＭＤ又はＤＲＥＧ−ＣＭＤ（０ｘ０３）メッセージが受信されるまで、移動局の正常動作を保留する（Ｓ５２）。
【００１８】
前記基地局は、前記移動局をリセットすることを決定し、前記移動局をリセットするためにＲＥＳ−ＣＭＤを送信する。これを受信した前記移動局は、移動局自身をリセットして移動局のＭＡＣ層を初期化する。
【発明の開示】
【発明が解決しようとする課題】
【００１９】
前述のような従来技術においては、スキャニングを行うために移動局が基地局とやり取りするメッセージは定義されているが、スキャニングに関連して、移動局内のプロトコルスタック（層）及び基地局内のプロトコルスタック（層）での実際の動作は定義されていない。従って、別途の管理システムを提供して移動局又は基地局を管理する必要がある場合、これを実現することができないという問題があった。
【課題を解決するための手段】
【００２０】
本発明の一態様は前述のような従来技術の問題に対する本発明者らの認識を含む。このような問題を解決するために、本発明は、移動局を管理できるように、広帯域無線アクセスシステムにおいてプロトコルスタック層での動作を明確にするために、上位管理層とＭＡＣ層間のプリミティブを定義する方法を提供する。
【発明の効果】
【００２１】
本発明によれば、本発明により定義されたプリミティブを利用して移動局が管理される場合、プロトコルスタック層内での正確な動作を実現できる。従って、このようなプリミティブを利用することにより、直接又は間接方式でネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）とメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
【発明を実施するための最良の形態】
【００２２】
本発明は８０２．１６ｅネットワークなどの広帯域無線アクセスシステムで実現されると記述されている。しかし、本発明の概念及び教示は一般的な技術に基づいて類似した方式で動作する多様な通信スキームに適用できるので、本発明は他のタイプの通信規格（例えば、８０２．１６ｇ、８０２．２１、８０２．１１ｕなど）に準拠した通信システムでも適用及び実現できる。以下、添付の図面を参照して本発明の実施形態を説明するが、本発明はこれに限定されるものではない。
【００２３】
また、本発明の特定態様においては、エンティティ、インタフェース、プリミティブ、メッセージなどのための特定名称に関して記述するが、本技術の分野における通常の知識を有する者であれば、このような名称に限定されず、その機能が本発明の教示に該当するものであれば他の名称（ラベル、用語など）も使用できることを明確に理解するであろう。
【００２４】
本発明は、移動局のＭＡＣ層が上位管理エンティティから登録解除要求を受信する段階と、前記移動局が基地局に登録解除要求メッセージ（ＤＲＥＧ＿ＲＥＱ）を送信する段階と、前記基地局から登録解除命令メッセージ（ＤＲＥＧ−ＣＭＤ）を受信する段階と、前記移動局のＭＡＣ層が前記上位管理エンティティに前記登録解除命令メッセージに含まれる情報を送信する段階と、前記上位管理エンティティからパワーダウン要求を受信する段階と、前記移動局のパワーを下げる段階とを含むことを特徴とする移動局管理方法を提供する。
【００２５】
本発明の前記及び追加の特徴と利点は添付の図面及び詳細な説明を参照するとより明らかになるであろう。以下、添付の図面を参照して本発明の好ましい実施形態を詳細に説明する。
【００２６】
図６はメディア独立ハンドオーバー（ＭＩＨ）を考慮したプロトコル構造モデルの一例を示す図である。
【００２７】
本発明が提案するプリミティブは、管理サービスアクセスポイント（Ｍａｎａｇｅｍｅｎｔ  Ｓｅｒｖｉｃｅ  Ａｃｃｅｓｓ  Ｐｏｉｎｔ；Ｍ−ＳＡＰ）又は制御サービスアクセスポイント（Ｃｏｎｔｒｏｌ  Ｓｅｒｖｉｃｅ  Ａｃｃｅｓｓ  Ｐｏｉｎｔ；Ｃ−ＳＡＰ）を介して、ＮＣＭＳに伝達され、前記ＮＣＭＳは前記プリミティブを上位管理エンティティを含む必要な位置に伝達する。
【００２８】
前記Ｍ−ＳＡＰは、システム構成、統計モニタリング（ｍｏｎｉｔｏｒｉｎｇ  ｓｔａｔｉｓｔｉｃｓ）、通知／トリガなどの機能を有するが、これに限定されるものではない。前記Ｃ−ＳＡＰは、ハンドオーバー（例えば、移動局からのハンドオーバー要求の通知など）、アイドルモード移動性管理（例えば、移動局のアイドルモード移行）、加入者及びセッション管理（例えば、移動局のセッション設定要求）、無線リソース管理などの機能を有するが、これに限定されるものではない。本発明のプリミティブはその機能別に前述のように区分することができ、このようなプリミティブはＭ−ＳＡＰ及び／又はＣ−ＳＡＰを介して伝達することができる。
【００２９】
前述のように前記ＳＡＰはその機能別に区分できるが、本発明により提案されたプリミティブは、前記２つのＳＡＰのいずれか一方又は両方を介して伝達できる。本発明の効果としては、前記プリミティブが前記ＮＣＭＳを介して必要な上位層に伝達されるため、システム全体（移動局又は基地局）の管理及び／又は制御を行うエンティティがＭＡＣ層とＰＨＹ層も管理できるようになる。
【００３０】
以下、前記管理エンティティは、ＮＣＭＳとインタフェースする全てのエンティティを示す。これは機器内のＩＰ層又はその上位層にある論理的な管理エンティティ又は物理的な管理エンティティを含む。本発明の動作は、前記ＮＣＭＳを介して前記上位管理エンティティから前記Ｍ−ＳＡＰ又はＣ−ＳＡＰに通信が行われるので、前記ＮＣＭＳが直接プリミティブを送る（伝達する）ように見える。
【００３１】
本発明における上位管理エンティティは、図１に示すようなプロトコルスタック内の階層管理エンティティの上位に位置し、前記ＮＣＭＳ又は前記階層管理エンティティのＭ−ＳＡＰを介して通信する物理的な上位管理エンティティ又は論理的な上位管理エンティティに区分される。前記上位管理エンティティは、特定プロトコルスタック内に存在することもでき、別途の独立したシステム又はスタックとして存在することもできるが、概念的に上位管理エンティティという。
【００３２】
図７及び図８は本発明によるプリミティブ動作原理を示す図である。図７は遠隔エンティティとの相互作用を要するプリミティブを示し、図８はローカルスタック内でのみ伝達されるプリミティブを示す。
【００３３】
図７に示すように、遠隔エンティティとの相互作用がある場合は、要求／確認（Ｒｅｑｕｅｓｔ／Ｃｏｎｆｉｒｍａｔｉｏｎ）又は応答／指示（Ｒｅｓｐｏｎｓｅ／Ｉｎｄｉｃａｔｉｏｎ）から構成される１対の動作が行われる。
【００３４】
図８に示すように、ローカルスタック内で動作が発生する場合、管理エンティティとＮＣＭＳ間の相互交換（すなわち、双方向動作）、又は単方向動作の２つの状況があり得る。双方向動作の場合、管理エンティティからＭ−ＳＡＰ／Ｃ−ＳＡＰを介したＮＣＭＳへの伝達は要求（Ｒｅｑｕｅｓｔ）といい、それに対して伝送される応答は指示（Ｉｎｄｉｃａｔｉｏｎ）という。単方向動作の場合、管理エンティティからＭ−ＳＡＰ／Ｃ−ＳＡＰを介したＮＣＭＳへの伝達は要求といい、反対方向への単方向伝達は指示という。
【００３５】
本発明によるプリミティブは、マルチモードの移動局において、管理エンティティが該当モードを指示する場合、又は該当モードが全てのマルチモードを管理するエンティティに情報を伝達する場合に使用できる。この場合は次の２つの状況がある。
【００３６】
第１に、ＭＩＨ層又はＭＩＨ機能から下位層にプリミティブが伝達される場合、ＭＩＨ（層又は機能）は、上位層から受信した情報（例えば、コマンドなど）を解析して該当プリミティブを伝達することもでき、上位層の情報（コマンド）を本発明のコマンドとマッピングして伝送することもできる。
【００３７】
第２に、下位層からＭＩＨ層又はＭＩＨ機能にプリミティブが伝達される場合、ＭＩＨ（層又は機能）は、下位層から受信したプリミティブを解析して上位に送る該当プリミティブを送信することもでき、下位層のプリミティブを上位に送るプリミティブと単にマッピングして送信することもできる。
【００３８】
ＭＩＨに使用されるときには、本発明で定義されたプリミティブがＮＣＭＳとＭＩＨ間のＳＡＰ又は管理エンティティとＭＩＨ間のＳＡＰを介して伝達されて、ＭＩＨ技術が実現されるようにする。
【００３９】
以下、本発明により提案されるプリミティブの例を説明する。本明細書で説明されるプリミティブのパラメータはその一部のみを例示するものであり、ＭＡＣに伝達されたパラメータの内容を管理エンティティに伝達する必要がある場合、本明細書で指定していないパラメータをさらに含むことができる。ＭＡＣに伝達されたパラメータの内容は、他の必要なパラメータだけでなく、ＴＬＶ（Ｔｙｐｅ−Ｌｅｎｇｔｈ−Ｖａｌｕｅ）フォーマットでも伝達できる。
【００４０】
（１）Ｍ＿Ｍａｎａｇｅｍｅｎｔ．ｒｅｑｕｅｓｔプリミティブ
１）機能
基地局又は移動局の上位管理エンティティは、前記プリミティブを使用して移動局の状態変更を要求できる。
【００４１】
２）セマンティクス
Ｍ＿Ｍａｎａｇｅｍｅｎｔ．ｒｅｑｕｅｓｔ（
Ｓｏｕｒｃｅ，
Ｄｅｓｔｉｎａｔｉｏｎ，
ＭＳ  ａｄｄｒｅｓｓ
Ａｃｔｉｏｎ  Ｃｏｄｅ
）
【００４２】
【表５】
2008536375.tif 000007
３）生成時点
移動局により要求される場合、前記プリミティブは、移動局が移動局の状態を変更するために基地局との相互作用を必要とするか（例えば、登録解除）、又は移動局が移動局のローカル状態を変更しようとすると（例えば、パワーオン、パワーオフ、リセットなど）生成される。基地局により要求される場合、前記プリミティブは、特定移動局の状態（例えば、保留、リセット、正常など）を変更しようとするときに生成される。
【００４３】
４）受信時の効果
移動局が移動局のローカル状態を変更するために前記プリミティブを要求して受信した場合、移動局のＭＡＣは該当状態に変更されて前記変更の結果をＭ＿Ｍａｎａｇｅｍｅｎｔ．ｃｏｎｆｉｒｍａｔｉｏｎを使用して基地局に通知する。移動局が移動局の状態を変更するために基地局との相互作用を必要とする場合、前記プリミティブを受信した移動局のＭＡＣは、アクションコードに適したＭＡＣ管理メッセージを基地局に送信する。
【００４４】
基地局が特定移動局の状態を変更しようとする場合、基地局のＭＡＣは、移動局の状態変更のためのＭＡＣ管理メッセージを特定移動局に送信する。
【００４５】
（２）Ｍ＿Ｍａｎａｇｅｍｅｎｔ．ｉｎｄｉｃａｔｉｏｎプリミティブ
１）機能
前記Ｍ＿Ｍａｎａｇｅｍｅｎｔ．ｉｎｄｉｃａｔｉｏｎは、前記状態変更のためのＭＡＣ管理メッセージの受信をＮＣＭＳ又は上位管理エンティティに通知するのに使用される。
【００４６】
２）セマンティクス
Ｍ＿Ｍａｎａｇｅｍｅｎｔ．ｉｎｄｉｃａｔｉｏｎ（
Ｓｏｕｒｃｅ，
Ｄｅｓｔｉｎａｔｉｏｎ，
ＭＳ  Ａｄｄｒｅｓｓ
Ａｃｔｉｏｎ  Ｃｏｄｅ
）
【００４７】
【表６】
2008536375.tif 000008
３）生成時点
前記Ｍ＿Ｍａｎａｇｅｍｅｎｔ．ｉｎｄｉｃａｔｉｏｎプリミティブは、ＭＡＣ層が無線インタフェースを介して前記状態変更のためのＭＡＣ管理メッセージ（例えば、ＤＲＥＧ−ＲＥＱ、ＤＲＥＧ−ＣＭＤ、ＲＥＳ−ＣＭＤなど）を受信すると生成される。
【００４８】
４）受信時の効果
前記プリミティブを受信すると、その状態を上位管理エンティティにより管理できる。
【００４９】
（３）Ｍ＿Ｍａｎａｇｅｍｅｎｔ．ｒｅｓｐｏｎｓｅプリミティブ
１）機能
前記Ｍ＿Ｍａｎａｇｅｍｅｎｔ．ｒｅｓｐｏｎｓｅプリミティブは、移動局の状態変更要求に対する応答として、移動局の状態変更を示す。
【００５０】
２）セマンティクス
Ｍ＿Ｍａｎａｇｅｍｅｎｔ．ｒｅｓｐｏｎｓｅ（
Ｓｏｕｒｃｅ，
Ｄｅｓｔｉｎａｔｉｏｎ，
ＭＳ  Ａｄｄｒｅｓｓ
Ａｃｔｉｏｎ  Ｃｏｄｅ
）
【００５１】
【表７】
2008536375.tif 000009
３）生成時点
前記Ｍ＿Ｍａｎａｇｅｍｅｎｔ．ｒｅｓｐｏｎｓｅプリミティブは、前記Ｍ＿Ｍａｎａｇｅｍｅｎｔ．ｉｎｄｉｃａｔｉｏｎを使用してアクションコード登録解除を受信した場合、その状態変更を示そうとすると生成される。
【００５２】
４）受信時の効果
前記プリミティブが受信されると、ＤＲＥＧ−ＣＭＤが該当移動局に送信される。
【００５３】
（４）Ｍ＿Ｍａｎａｇｅｍｅｎｔ．ｃｏｎｆｉｒｍａｔｉｏｎプリミティブ
１）機能
前記Ｍ＿Ｍａｎａｇｅｍｅｎｔ．ｃｏｎｆｉｒｍａｔｉｏｎプリミティブは、状態変更に成功したことを上位管理エンティティに通知するのに使用される。
【００５４】
２）セマンティクス
Ｍ＿Ｍａｎａｇｅｍｅｎｔ．ｃｏｎｆｉｒｍａｔｉｏｎ（
Ｓｏｕｒｃｅ，
Ｄｅｓｔｉｎａｔｉｏｎ，
Ｒｅｓｕｌｔ
）
【００５５】
【表８】
2008536375.tif 000010
３）生成時点
前記Ｍ＿Ｍａｎａｇｅｍｅｎｔ．ｃｏｎｆｉｒｍａｔｉｏｎプリミティブは、ＭＡＣで状態変更が決定された時点に成功又は失敗を示すために生成されて伝達される。
【００５６】
４）受信時の効果
前記の結果に基づいて、成功の場合、上位管理エンティティの状態がアップデートされ、失敗の場合、前記状態変更が再び試みられる。
【００５７】
図９は登録解除後のパワーダウン状態変更手順の信号フローの一例を示す図である。図９に示すように、移動局の上位管理エンティティは、前記移動局のＭＡＣ層に登録解除手順を行うように要求する（Ｓ８１）。
【００５８】
前記登録解除要求を受信した移動局のＭＡＣ層は、無線インタフェースでＤＲＥＧ−ＲＥＱを送信する（Ｓ８２）。前記ＤＲＥＧ−ＲＥＱを受信した基地局のＭＡＣ層は、これを前記基地局の上位管理エンティティに報告する（Ｓ８３）。前記上位管理エンティティは、前記移動局が要求した登録解除を判断し、該当アクションコードを含めて前記基地局のＭＡＣ層に送信する（Ｓ８４）。
【００５９】
前記基地局のＭＡＣ層は、前記上位管理エンティティから受信したプリミティブに基づいて、ＤＲＥＧ−ＣＭＤのアクションコードを設定して前記移動局に送信する（Ｓ８５）。前記登録解除の結果は前記移動局の上位管理エンティティに通知される（Ｓ８６）。本実施形態においては登録解除に成功した場合を示す。
【００６０】
前記上位管理エンティティは前記移動局のパワーをオフにするように要求する（Ｓ８７）。パワーをオフにすることは、パワーを節約するために物理層の動作を終了することを含む。本実施形態は登録解除後にパワーをオフにする場合を示しているが、登録解除を行うことなくパワーをオフにすることもできる。前記パワーをオフにする要求の結果が通知される（Ｓ８８）。
【００６１】
図１０はパワーダウン状態変更手順の信号フローの一例を示す図である。前記上位管理エンティティは前記移動局のパワーをオフにするように要求する（Ｓ１０１）。前記パワーをオフにする要求の結果は前記上位管理エンティティに通知される（Ｓ１０２）。
【００６２】
図１１はリセット状態変更手順の信号フローの一例を示す図である。前記上位管理エンティティは前記移動局がリセットを行うように要求する（Ｓ１１１）。ＲＥＳ−ＣＭＤを受信した場合の動作と同様に、前記移動局は移動局をリセットして移動局のＭＡＣ層を初期化する（Ｓ１１２）。
【００６３】
図１２はパワーオン状態変更手順の信号フローの一例を示す図である。前記上位管理エンティティは前記移動局のパワーをオンにするように要求する（Ｓ１２１）。前記移動局のパワーをオンにすることは、物理層の動作のアクティブ化を意味する。すなわち、前記物理層がスキャニングなどの動作を行える状態に置かれることをいう。前記パワーをオンにする要求の結果は前記上位管理エンティティに通知される（Ｓ１２２）。
【００６４】
図１３は基地局の要求による移動局のリセット手順の信号フローの一例を示す図である。前記基地局のＮＣＭＳ又は上位管理エンティティは、特定移動局から異常動作を発見し、前記移動局をリセットするための要求を前記基地局のＭＡＣ層に送信する（Ｓ１３１）。前記上位管理エンティティから特定移動局のリセット要求を受信した前記基地局のＭＡＣ層は、前記移動局をリセットするためにＲＥＳ−ＣＭＤを送信する（Ｓ１３２）。
【００６５】
前記ＲＥＳ−ＣＭＤを受信した移動局は、移動局をリセットして移動局のＭＡＣ層を初期化した後、その結果を前記上位管理エンティティに報告する（Ｓ１３３）。
【００６６】
図１４は基地局の要求による移動局の正常状態保留及び復旧手順の信号フローの一例を示す図である。前記移動局の異常動作によるものであっても、他のネットワーク状況によるものであっても、前記ＮＣＭＳ又は前記上位管理エンティティは、前記移動局の正常動作を保留するためのメッセージを送信するために前記基地局のＭＡＣ層にプリミティブを送信する（Ｓ１４１）。
【００６７】
前記プリミティブを受信した前記基地局のＭＡＣは、ＤＲＥＧ−ＣＭＤ（０ｘ０１）メッセージにより、特定移動局を保留するためのメッセージを前記移動局に送信する（Ｓ１４２）。前記メッセージを受信した移動局は、これをプリミティブにより前記上位管理エンティティに通知し、ＲＥＳ−ＣＭＤ又はＤＲＥＧ−ＣＭＤ（０ｘ０３）が受信されるまで正常動作を保留する（Ｓ１４３）。本実施形態は通知後に状態遷移を行う場合を示しているが、通知前に状態遷移を行う場合も同一の効果を有する。
【００６８】
前記上位管理エンティティは、前記移動局が正常動作に戻ることができると判断した後、前記移動局が正常動作を行うことを指示するメッセージを送信するために、前記基地局のＭＡＣ層にプリミティブを送信する。前記基地局は、正常動作への遷移を通知するＤＲＥＧ−ＣＭＤ（０ｘ０３）メッセージを特定移動局に送信する。
【００６９】
前記ＤＲＥＧ−ＣＭＤ（０ｘ０３）メッセージを受信した移動局は正常動作に遷移し、この状態遷移はプリミティブにより前記ＮＣＭＳ又は前記上位管理エンティティに通知される。本実施形態は通知後に状態遷移を行う場合を示しているが、通知前に状態遷移を行う場合も同一の効果を有する。
【００７０】
図１５は基地局の要求による移動局の正常状態保留及びリセット手順の信号フローの一例を示す図である。前記移動局の異常動作によるものであっても、他のネットワーク状況によるものであっても、前記ＮＣＭＳ又は上位管理エンティティは、前記移動局の正常動作を保留するためのメッセージを送信するために、前記基地局のＭＡＣ層にプリミティブを送信する（Ｓ１５１）。
【００７１】
前記プリミティブを受信した前記基地局のＭＡＣは、ＤＲＥＧ−ＣＭＤ（０ｘ０１）メッセージにより、特定移動局を保留するためのメッセージを前記移動局に送信する（Ｓ１５２）。前記メッセージを受信した移動局は、これをプリミティブにより前記上位管理エンティティに通知し、ＲＥＳ−ＣＭＤ又はＤＲＥＧ−ＣＭＤ（０ｘ０３）が受信されるまで移動局の正常動作を保留する（Ｓ１５３）。本実施形態は通知後に状態遷移を行う場合を示しているが、通知前に状態遷移を行う場合も同一の効果を有する。
【００７２】
所定時間後、前記基地局の上位管理エンティティは、前記移動局をリセットすることを決定し、前記基地局のＭＡＣ層にリセット要求を送信する（Ｓ１５４）。前記上位管理エンティティから特定移動局のリセット要求を受信した前記基地局のＭＡＣ層は、前記移動局をリセットするためにＲＥＳ−ＣＭＤを送信する（Ｓ１５５）。前記ＲＥＳ−ＣＭＤを受信した移動局は、移動局をリセットして移動局のＭＡＣ層を初期化した後、その結果を前記上位管理エンティティに送信する（Ｓ１５６）。本実施形態は状態遷移後に通知を行う場合を示しているが、通知後に状態遷移を行う場合も同一の効果を有する。
【００７３】
前記様々な特徴を実現するために、本発明は、様々なタイプのハードウェア及び／又はソフトウェア構成要素（モジュール）を用いる。例えば、様々なハードウェアモジュールは、広帯域無線アクセスシステムで前記スキャニング実行方法の段階を行うために必要な様々な回路及び構成要素を含む。また、（プロセッサ及び／又は他のハードウェアにより実行される）様々なソフトウェアモジュールは、本発明の方法の段階を行うために必要な様々なコード及びプロトコルを含む。
【００７４】
移動局管理において（ＭＳ  ＭＡＣの観点）、本発明は、管理要求を示す第１プリミティブを移動局のネットワーク制御管理システム（ＮＣＭＳ）又は上位エンティティから受信する段階と、管理確認を示す第２プリミティブを前記移動局のＮＣＭＳ又は上位エンティティに送信する段階とを含むことを特徴とする広帯域無線アクセスシステムにおける移動局管理方法を提供する。前記移動局のＮＣＭＳは、管理エンティティの独立エンティティ内の階層であり、移動局の管理機能をサポートする。前記上位エンティティは少なくともＭＩＨ又は少なくとも１つの他の管理エンティティを含む。前記方法は、同種ネットワーク及び異種ネットワークの少なくとも一方とやり取りするメッセージを管理するための移動局の上位層に統一されたインタフェースを設定する段階をさらに含む。前記第１プリミティブはアクションコードを含む。前記アクションコードは、パワーオン／オフ、ＭＡＣリセット、登録解除、保留、正常、リンク切断（ｌｉｎｋ  ｄｉｓｃｏｎｎｅｃｔ）、リンクスリープ、又はリンクパワーダウンの少なくとも１つを示す。前記第２プリミティブは状態変更の成功、失敗、又は拒否の結果を示す。前記方法は、前記受信する段階と前記送信する段階との間に、第１管理メッセージをネットワークに送信する段階と、第２管理メッセージを前記ネットワークから受信する段階とをさらに含む。前記第１管理メッセージは登録解除要求を示す。前記第２管理メッセージは登録解除命令を示す。
【００７５】
移動局管理において（ＭＳ  ＭＡＣの観点）、本発明は、移動局のＭＡＣの状態変更を示すメッセージをネットワークから受信する段階と、前記移動局のネットワーク制御管理システム（ＮＣＭＳ）又は上位エンティティに前記移動局のＭＡＣの状態変更が通知されるようにするプリミティブを、前記移動局のＮＣＭＳ又は上位エンティティに送信する段階とを含むことを特徴とする広帯域無線アクセスシステムにおける移動局管理方法を提供する。前記メッセージは、リセット命令及び登録解除命令の少なくとも一方を含む。前記登録解除命令は正常状態の保留又は正常状態への遷移を示す。前記状態変更はリセット、正常、及び保留の少なくとも１つを含む。
【００７６】
移動局管理において（ＭＳ  ＭＩＨの観点）、本発明は、同種ネットワーク及び異種ネットワークの少なくとも一方とやり取りするメッセージを管理するための移動局の上位層に統一されたインタフェースを設定する段階と、前記統一されたインタフェース（ＭＩＨ）に前記移動局のＭＡＣの状態変更が通知されるようにするプリミティブを、前記移動局のネットワーク制御管理システム（ＮＣＭＳ）から受信する段階とを含むことを特徴とする広帯域無線アクセスシステムにおける移動局管理方法を提供する。前記プリミティブはリセット、正常、及び保留の少なくとも１つを示す。前記プリミティブは状態変更要求の成功、失敗、又は拒否の結果を示す。前記方法は、前記移動局のＭＡＣの状態変更要求を示すプリミティブを前記移動局のＭＡＣに送信する段階をさらに含む。前記プリミティブはアクションコードを含む。前記アクションコードはパワーオン（アップ）／オフ（ダウン）、（ＭＡＣ）リセット、登録解除、保留、正常、リンク切断、リンクスリープ、又はリンクパワーダウンの少なくとも１つを示す。
【００７７】
移動局管理において（ＢＳ  ＭＡＣの観点）、本発明は、ネットワークのネットワーク制御管理システム（ＮＣＭＳ）又は上位エンティティが移動局のＭＡＣの状態変更を命令できるようにするプリミティブを、前記ネットワークのＮＣＭＳ又は上位エンティティから受信する段階と、前記移動局のＭＡＣの状態変更を示すメッセージを前記移動局のＭＡＣに送信する段階とを含むことを特徴とする広帯域無線アクセスシステムにおける移動局管理方法を提供する。前記プリミティブは、リセット、正常、保留、及び登録解除の少なくとも１つを示す。前記メッセージは、リセット、正常、保留、及び登録解除の少なくとも１つを命令する。前記方法は、前記受信する段階の前に、前記ネットワークの登録解除要求を示すメッセージを前記移動局のＭＡＣから受信する段階と、前記移動局の登録解除を示すプリミティブを前記ネットワークのＮＣＭＳ又は上位エンティティに送信する段階とをさらに含む。
【００７８】
移動局管理において（ＢＳ  ＭＩＨの観点）、本発明は、同種ネットワーク及び異種ネットワークの少なくとも一方とやり取りするメッセージを管理するためのネットワークの上位層に統一されたインタフェースを設定する段階と、前記統一されたインタフェース（ＭＩＨ）が移動局のＭＡＣの状態変更を命令できるようにする第１プリミティブを、前記ネットワークのネットワーク制御管理システム（ＮＣＭＳ）に送信する段階とを含むことを特徴とする広帯域無線アクセスシステムにおける移動局管理方法を提供する。前記第１プリミティブは、リセット、正常、保留、及び登録解除の少なくとも１つを示す。前記方法は、移動局の登録解除を示す第２プリミティブを前記ネットワークのＮＣＭＳから受信する段階をさらに含む。
【００７９】
本明細書は本発明の様々な実施形態を記述している。特許請求の範囲は本明細書に開示されている実施形態の多様な変更及び同等の構成をも含むものである。従って、特許請求の範囲はここに開示されている発明の精神及び範囲内で変更、同等の構造、及び特徴を含むように広範囲に解釈されるべきである。
【図面の簡単な説明】
【００８０】
本発明の理解を助けるために添付され、本明細書の一部を構成する図面は、本発明の多様な実施形態を示し、明細書と共に本発明の原理を説明する。
【図１】広帯域無線アクセスシステムにおけるプロトコルスタック構造の一例を示す図である。
【図２】パワーダウンのための登録解除手順の信号フローの一例を示す図である。
【図３】移動局をリセットする手順の信号フローの一例を示す図である。
【図４】移動局の正常動作を保留する手順の信号フローの一例を示す図である。
【図５】移動局の正常動作保留後のリセット手順の信号フローの一例を示す図である。
【図６】メディア独立ハンドオーバー（ＭＩＨ）を考慮したプロトコル構造モデルの一例を示す図である。
【図７】遠隔エンティティとの相互作用によりプリミティブが伝達されるときの動作の一例を示す図である。
【図８】ローカルエンティティ内でのみプリミティブが伝達されるときの動作の一例を示す図である。
【図９】登録解除後のパワーダウン状態変更手順の信号フローの一例を示す図である。
【図１０】パワーダウン状態変更手順の信号フローの一例を示す図である。
【図１１】リセット状態変更手順の信号フローの一例を示す図である。
【図１２】パワーオン状態変更手順の信号フローの一例を示す図である。
【図１３】基地局の要求による移動局のリセット手順の信号フローの一例を示す図である。
【図１４】基地局の要求による移動局の正常状態保留及び復旧手順の信号フローの一例を示す図である。
【図１５】基地局の要求による移動局の正常状態保留及びリセット手順の信号フローの一例を示す図である。
【図１】
2008536375.tif 000011
【図２】
2008536375.tif 000012
【図３】
2008536375.tif 000013
【図４】
2008536375.tif 000014
【図５】
2008536375.tif 000015
【図６】
2008536375.tif 000016
【図７】
2008536375.tif 000017
【図８】
2008536375.tif 000018
【図９】
2008536375.tif 000019
【図１０】
2008536375.tif 000020
【図１１】
2008536375.tif 000021
【図１２】
2008536375.tif 000022
【図１３】
2008536375.tif 000023
【図１４】
2008536375.tif 000024
【図１５】
2008536375.tif 000025
【国際調査報告】
2008536375.tif 000026
2008536375.tif 000027